(57)【特許請求の範囲】
【請求項１】
フック（７）が取り付けられるランヤード（６）と、このランヤード（６）を巻き取る巻取ケース（５）とを備えた安全帯用巻取器において、前記巻取ケース（５）に前記フック（７）の掛け部（８、１０、２１）を設け、この掛け部（８、１０、２１）を、胴ベルト（１）の長さ方向に関してケース両端とならないように設け、
前記ランヤード（６）にはこの巻取りを阻止する抵抗部（６ａ）を設け、この抵抗部（６ａ）の位置を、前記フック（７）の鉤部（７ａ）が前記掛け部（８、１０、２１）に掛かり、かつフック（７）の取付端（７ｂ）が下側を向く状態で巻取ケース（５）内への自動巻取りが阻止されるように定めたことを特徴とする安全帯用巻取器。
【請求項２】
前記掛け部（８）が、前記巻取ケース（５）の正面に形成され、前記フック（７）の鉤部（７ａ）を先端側から通される掛け孔部からなる請求項１に記載の安全帯用巻取器。
【請求項３】
前記掛け部（１０）が、前記胴ベルト（１）の長さ方向を長手方向とした楕円プレート（１１）を巻取ケース（５）の円周部正面に取り付けることにより前記巻取ケース（５）の外周に形成され、前記鉤部（７ａ）曲がり形状に沿う溝部からなり、この溝部により前記鉤部（７ａ）が保持されるようにし、前記楕円プレート（１１）の外周部（１１ａ）と前記巻取ケース（５）の正面壁とが前記掛け部（１０）の両側壁を形成し、前記楕円プレート（１１）の背面には、前記外周部（１１ａ）の短手方向長さよりも短い外径寸法で、かつ前記鉤部（７ａ）の曲がり形状に沿う曲率をもった外周を有する円環部（１１ｂ）を設け、この円環部（１１ｂ）の外周が前記掛け部（１０）の溝底部を形成する請求項１に記載の安全帯用巻取器。
【請求項４】
前記掛け部（２１）を前記巻取ケース（５）の下面に位置させた請求項１に記載の安全帯用巻取器。
【発明の詳細な説明】
【技術分野】
【０００１】
この発明は、高所作業の際に使用される安全帯の巻取器に関する。
【背景技術】
【０００２】
従来から、安全帯に利用される巻取器には、フックが取り付けられるランヤードと、このランヤードを巻き取る巻取ケースとを備えたものがある。ランヤードには、その巻取り嵩を減らすためにアラミド繊維などの高強度繊維製のものがよく採用される。
【０００３】
ところが、アラミド繊維などは伸張率が小さい部類のものであるため、墜落時の衝撃は、ランヤードによって十分に吸収され難い。そこで、胴ベルトに取り付けたショックアブソーバや緩衝金具に巻取器を接続し、墜落時の衝撃エネルギを緩和することが行われている（例えば、特許文献１）。
【０００４】
【特許文献１】特開２００４−３３３９８号公報
【発明の開示】
【発明が解決しようとする課題】
【０００５】
しかしながら、胴ベルトに巻取器に加えてショックアブソーバなどを取り付けた安全帯では、工具袋を取り付けるスペースが胴ベルトの長さ方向に関して減少することになる。さらに、ランヤードに取り付けられたフックを休止させる場合に備え、胴ベルトにフックの収納袋を取り付けた場合、工具袋の取付けスペースが一層減少する。このため、上記のような安全帯には、ランヤードとフックを手巻きして収納袋に休止させるロープ式安全帯と比して、工具袋の利用を制限される点で改善の余地があった。
【０００６】
そこで、この発明の課題は、フックの収納袋を不要とし、ランヤードの巻取器を装着した胴ベルトの長さ方向に関して工具袋の取付けスペースを広げることにある。
【課題を解決するための手段】
【０００７】
上記の課題を解決するため、この発明は、フックが取り付けられるランヤードと、このランヤードを巻き取る巻取ケースとを備えた安全帯用巻取器において、前記巻取ケースに前記フックの掛け部を設け、この掛け部を、胴ベルトの長さ方向に関してケース両端とならないように設けたことを特徴とするものである。
【０００８】
具体的には、前記巻取ケースに前記フックの掛け部を設けた構成の採用により、フックの収納袋を不要とし、さらに、この掛け部を、胴ベルトの長さ方向に関してケース両端とならないように設けた構成の採用により、巻取ケースに掛け部を設けても、巻取ケースの取付けスペースが胴ベルトの長さ方向に広がることのないようにした。
したがって、この発明は、ランヤードの巻取器を装着した胴ベルトの長さ方向に関して工具袋の取付けスペースを広げることができる。
【０００９】
上記構成においては、前記掛け部が、前記巻取ケースの正面または下面に形成され、前記フックの鉤部を先端側から通される掛け孔部からなる構成を採用することができる。
【００１０】
また、上記構成においては、前記掛け部が、前記巻取ケースの外周に形成され、前記フックの鉤部曲がり形状に沿う溝部からなり、この溝部により前記鉤部が保持されるようにした構成を採用することができる。
【００１１】
また、上記構成においては、前記掛け部を前記巻取ケースの下面に位置させた構成を採用することもできる。この構成によれば、前記掛け部は、前記巻取ケースの下面に位置するため、不注意で建物の外壁などに擦られたり、ぶつけられたりし難くなる。
【発明の効果】
【００１２】
上述のように、この発明は、前記巻取ケースに前記フックの掛け部を設け、この掛け部を、胴ベルトの長さ方向に関してケース両端とならないように設けた構成により、フックの収納袋を不要とし、ランヤードの巻取器を装着した胴ベルトの長さ方向に関して工具袋の取付けスペースを広げることができる。
【発明を実施するための最良の形態】
【００１３】
この発明の第１実施形態を添付図面に基づいて説明する。
図１に示すように、安全帯の胴ベルト１は、一端部にバックル２を有しており、環止め４ａによりショックアブソーバ４が装着され、このショックアブソーバ４の一端側に接続された緩衝環４ｂを介して巻取器３が装着されている。
【００１４】
巻取器３は、巻取ケース５内に設けられた図示省略のドラムによってランヤード６を巻取り、そのランヤード６の引き出しによりドラムが回転すると図示省略した巻ばねが弾性変形し、その巻ばねの復元弾性によりドラムを復帰回転させてランヤード６を巻取るようになっている。
【００１５】
また、巻取器３は、ランヤード６が急激に引き出されるとロック機構が作動してドラムをロックし、ランヤード６の引き出しを直ちに停止させるようになっている。
【００１６】
ランヤード６の先端には、鉤部７ａと、鉤部７ａとランヤード６への取付端７ｂとの間を閉じる外れ止め装置７ｃと、外れ止め装置７ｃのロックを解除する安全装置７ｄとを備えたフック７が取付けられている。
【００１７】
巻取ケース５の背面には、胴ベルト１が長さ方向に通されるベルト通し部（図示省略）が設けられている。また、巻取ケース５の長さ方向他端には、上記緩衝環４ｂの接続フレーム部分が幅方向に挿通された連結部５ａが設けられており、胴ベルト１の長さ方向と巻取ケース５の長さ方向の向きが揃うようになっている。墜落時の衝撃は、ランヤード６から巻取器３を通して緩衝環４ｂとショックアブソーバ４とに伝わり、これらで減衰される。
【００１８】
また、図２に示すように、巻取ケース５の正面には、フック７の掛け部８が設けられている。具体的に述べると、掛け部８は、図３に示すように、正面から見て巻取ケース５の円周部内に収まるプレート部材８ａの突壁部に形成された掛け孔部からなる。このプレート部材８ａの突壁部の高さは、フック７の鉤部７ａを先端側から通すことができるようにする。なお、掛け部８は、プレート部材８ａのように別部材に形成して巻取ケース５の取り付ける構成に限られず、樹脂成形などにより巻取ケース５と一体に設けることもできる。
【００１９】
上記構成においては、外れ止め装置７ｃを開放した状態で鉤部７ａを掛け部８に通した後に外れ止め装置７ｃを閉じると、図２に示すように、鉤部７ａの曲がり形状部分が掛け部８に掛かり、フック７の自重によりその取付端７ｂが下側を向いた姿勢になる。このようにフック７を掛け部８に掛けた状態で、巻取器３によってランヤード６が自動的に巻き取られる。したがって、フック７の収納袋は不要となる。
【００２０】
また、上記掛け部８は、正面から見て巻取ケース５の円周部内に収まるプレート部材８ａに形成されているため、巻取ケース５の長さ方向に関してケース両端とならない。ここで、ベルト１の長さ方向と巻取ケース５の長さ方向の向きが揃うため、掛け部８は、胴ベルト１の長さ方向に関してケース両端とならない。したがって、掛け部８を設けても、巻取ケース５の取付けスペースが胴ベルト１の長さ方向に広がることはない。このため、ランヤード６の巻取器３を装着した胴ベルト１の長さ方向に関して工具袋（図示省略）の取付けスペースを広げることができる。
【００２１】
上記ランヤード６には、この巻取りを阻止する抵抗部６ａが設けられている。この抵抗部６ａは、環状部材をランヤード６に通して固定することで設けられており、巻取ケース５の長さ方向一端に設けられたランヤード出入口５ｂを通過しないようになっている。なお、抵抗部６ａは、ランヤードの編成時に形成した膨張部、幅広部、拡径部などから構成することもできる。
【００２２】
抵抗部６ａの位置は、フック７の鉤部７ａが掛け部８に掛かり、かつフック７の取付端７ｂが下側を向く状態で巻取りが阻止されるように定められる。この実施形態では、ランヤード６の先端と抵抗部６ａ間の長さを、概ね鉤部７ａの直線部分の長さに対応させており、フック７の取付端７ｂが巻取りの回転力で持ち上げられることのないようにしている。このため、フック７は、その鉤部７ａが掛け部８に掛かり、かつその取付端７ｂが下側を向く姿勢に維持される。その結果、フック７が胴ベルト１の長さ方向に大きく傾くことが防止される。
【００２３】
フック７の掛け部は、上記第１実施形態のようなものに限定されない。その別例として、この発明の第２実施形態を以下に説明する。なお、上記第１実施形態と同一の構成については、同符号を付すのみとし、その説明を省略する。
【００２４】
図４、図５に示すように、この第２実施形態では、掛け部１０が、巻取ケース５の外周に形成され、フック７の鉤部７ａの曲がり形状に沿う溝部からなる。
【００２５】
具体的に述べると、掛け部１０は、胴ベルト１の長さ方向を長手方向とした略楕円プレート１１を巻取ケース５の円周部正面に取り付けることにより形成されている。この取り付けはリベットによるが締結などの他の手段でもよい。
【００２６】
楕円プレート１１の長手方向長さは、正面から見て巻取ケース５の長さ方向に関してケース両端とならないように設けられている。このため、掛け部１０は、胴ベルト１の長さ方向に関してケース両端とならない。なお、上記のように、溝部からなる掛け部１０は、巻取ケース５を樹脂成形することによりその外周に直接形成することもできる。
【００２７】
上記の取り付け状態では、楕円プレート１１の外周部１１ａと巻取ケース５の正面壁とが掛け部１０の両側壁を形成する。
【００２８】
また、楕円プレート１１の背面には、その外周部１１ａの短手方向長さよりも短い外径寸法で、かつフック７の鉤部７ａの曲がり形状に沿う曲率をもった外周を有する円環部１１ｂが設けられている。この円環部１１ｂの外周は、上記の取り付け状態で掛け部１０の溝底部を形成する。
【００２９】
上記構成においては、外れ止め装置７ｃを開放した状態で鉤部７ａを掛け部８に通した後に外れ止め装置７ｃを閉じると、掛け部１０の両側壁により前記鉤部７ａが正背方向にずれ動かないように保持されると共に、掛け部１０の溝底により鉤部７ａの曲がり形状部分が支持される。このようにして掛け部１０に掛かったフック７は、その自重により取付端７ｂが下側を向いた姿勢になる。このとき、抵抗部６ａがランヤード６の巻取りを阻止しており、フック７の傾きが防止される。
【００３０】
次に、この発明の第３実施形態を図６に示す。この第３実施形態では、上記巻取ケース５の下面に、下側に突出する掛け部２１が一体形成されている。この掛け部２１は、上記鉤部７ａを先端側から通されるように傾斜をもった掛け孔部２２が形成されており、正面側に突出していない。このため、掛け部２１は、不注意で建物の外壁などに擦られたり、ぶつけられたりし難くい。
【図面の簡単な説明】
【００３１】
【図１】この発明の第１実施形態に係る安全帯用巻取器の使用状態を示す斜視図
【図２】図１の安全帯用巻取器の掛け部にフックを掛けた状態を示す作用図
【図３】（ａ）図１の巻取ケースの部分拡大正面図、（ｂ）図１の掛け部の部分拡大斜視図
【図４】この発明の第２実施形態に係る安全帯用巻取器の掛け部にフックを掛けた状態を正面から示す作用図
【図５】（ａ）図４の巻取ケースの部分拡大正面図、（ｂ）図５（ａ）の巻取ケースをｂ−ｂ線で切断した部分拡大断面図
【図６】この発明の第３実施形態に係る安全帯用巻取器の正面側から示した作用図
【符号の説明】
【００３２】
１  胴ベルト
３  巻取器
５  巻取ケース
６  ランヤード
６ａ  抵抗部
７  フック
７ａ  鉤部
７ｂ  取付端
８、１０、２１  掛け部
【図１】
0004686355.tif 000002
【図２】
0004686355.tif 000003
【図３】
0004686355.tif 000004
【図４】
0004686355.tif 000005
【図５】
0004686355.tif 000006
【図６】
0004686355.tif 000007